(57)【要約】      （修正有）【課題】情報交換が容易であるとともに交換における種々の混乱の防止にも留意した情報交換装置、情報再生装置および情報交換システムを提供する。【解決手段】携帯電話を音源データとする楽曲等を人体通信で共有する際の送信信号の帯域を、登録された特定の相手との関係で調整して記憶する。自分が先に帯域を決めた場合はこれを相手に伝達し、相手から先に帯域を伝達されたときはこれを避けて帯域を決定する。携帯電話とヘッドフォン間を人体通信結ぶ際、調整記憶した送信帯域を伝達する。帯域は繰り返し伝達する。帯域を変更しても記憶した帯域に復帰可能とする。３人以上のグループ内での帯域調整も可能とする。相手との接触検知でコンテンツの送信を開始する。接触が所定時間以上なければ、以後接触があっても送信しない。【選択図】図９
2009182569.tif 000002
【特許請求の範囲】
【請求項１】
コンテンツ保持部と、特定の相手を登録する登録部と、前記コンテンツ保持部が保持するコンテンツを狭帯域の送信信号に変調する変調部と、前記登録部に登録された相手との関係で前記変調部が変調する送信信号の帯域を調整する制御部と、前記制御部によって調整された送信信号の帯域を記憶する記憶部とを有することを特徴とする情報交換装置。
【請求項２】
前記変調部は、人体に印加して人体に流すための送信信号を出力するよう変調を行うことを特徴とする請求項１記載の情報交換装置。
【請求項３】
携帯電話として構成されることを特徴とする請求項１または２記載の情報交換装置。
【請求項４】
前記制御部によって調整された送信信号の帯域を前記登録部に登録されている特定の相手に伝達する伝達部を有することを特徴とする請求項１から３のいずれかに記載の情報交換装置。
【請求項５】
前記制御部は、前記登録部に登録されている特定の相手から伝達される帯域を避けて送信信号の帯域を調整することを特徴とする請求項１から４のいずれかに記載の情報交換装置。
【請求項６】
前記制御部によって調整された送信信号の帯域をコンテンツ再生用の情報再生装置に伝達する伝達部を有することを特徴とする請求項１から５のいずれかに記載の情報交換装置。
【請求項７】
前記伝達部は、制御部によって調整された送信信号の帯域を情報交換装置保持者と同一人物に装着される情報再生装置に伝達することを特徴とする請求項６記載の情報交換装置。
【請求項８】
前記伝達部は、制御部によって調整された送信信号の帯域を情報再生装置に繰り返し伝達することを特徴とする請求項６または７記載の情報交換装置。
【請求項９】
前記制御部が調整した帯域とは異なった帯域を設定する設定部と、前記設定部が設定した帯域から前記記憶部が記憶する帯域に復帰させる復帰実行部とを有することを特徴とする請求項１から８のいずれかに記載の情報交換装置。
【請求項１０】
前記制御部は、前記登録部に登録された相手を含む３人以上の関係において前記変調部が変調する送信信号の帯域を調整することを特徴とする請求項１から９のいずれかに記載の情報交換装置。
【請求項１１】
コンテンツ保持部、前記コンテンツ保持部が保持するコンテンツを所定帯域の送信信号に変調する変調部、前記変調部が変調する送信信号の帯域を調整する制御部および前記制御部により調整された帯域を外部に伝達する伝達部を持つ情報交換装置と、前記伝達部によって伝達された帯域を記憶する記憶部、前記記憶部が記憶する帯域の送信信号をコンテンツに復調する復調部および前記復調部が復調するコンテンツを再生する再生部を持つ情報再生装置とを有することを特徴とする情報交換システム
【請求項１２】
前記変調部は、人体に印加して人体に流すための送信信号を出力するよう変調を行うとともに前記復調部は人体を流れる送信信号を復調することを特徴とする請求項１１記載の情報交換装置。
【請求項１３】
コンテンツ保持部と、特定の相手を登録する登録部と、前記コンテンツ保持部が保持するコンテンツを人体に印加して人体に流すための送信信号に変調する変調部と、他の人体との接触状態を検出する検出部と、前記検出部の検出に基づきコンテンツの送信を開始する送信制御部とを有することを特徴とする情報交換装置。
【請求項１４】
前記送信制御部は、前記検出部による接触状態の検出が所定時間ないと次に接触状態を検出してもコンテンツの送信を開始しないことを特徴とする請求項１３記載の情報交換装置。
【請求項１５】
携帯電話として構成されることを特徴とする請求項１３または１４記載の情報交換装置。
【発明の詳細な説明】
【技術分野】
【０００１】
本発明は、情報交換装置、情報再生装置およびこれらを含む情報交換システムに関する。
【背景技術】
【０００２】
情報交換のためには、無線通信をはじめとして種々の手法が提案されている。その一つとして、人体周りに誘起した静電磁界または誘導電磁界による人体通信が提案されている。（特許文献１）また、携帯電話や携帯ゲーム機などの外部端末間のデータ送受信に人体通信を利用し、例えば互いに握手をすると、ある人の外部端末から別の人の外部端末に人体を通してデータの送受信がなされるようにすることも紹介されている（特許文献２）    
【特許文献１】特開２００６−２７１７９８号公報
【特許文献２】特開２００６−８１０２５号公報
【発明の開示】
【発明が解決しようとする課題】
【０００３】
しかしながら、情報交換を手軽にすることは、その半面情報の不用意な漏洩に繋がるとともに予期しない相手からの情報の混入も予想されるので、検討すべき課題は多い。
【０００４】
本発明の課題は、上記に鑑み、情報交換が容易であるとともに交換における種々の混乱の防止にも留意した情報交換装置、情報再生装置およびこれらを有する情報交換システムを提供することにある。
【課題を解決するための手段】
【０００５】
上記課題を達成するため、本発明は、コンテンツ保持部が保持するコンテンツを狭帯域の送信信号に変調する変調部と、登録部に登録された特定の相手との関係で前記変調部が変調する送信信号の帯域を調整する制御部と、この制御部によって調整された送信信号の帯域を記憶する記憶部とを有する情報交換装置を提供する。これによって、楽曲などのコンテンツを共有する場合、特定の相手との関係で予め記憶されている帯域にてコンテンツが送信信号に変調される。従って、自分のコンテンツを相手に送信して共有する場合において、その都度相手との関係で帯域の調整を行う必要がない。なお、これは、登録部に登録されている特定の相手の情報交換装置が同様の構成を持つ場合、相手側でも同様に行われる。従って、自分のコンテンツを送信する場合と相手のコンテンツを受信する場合とで、その都度相互に調整を行なわなくても、混線が起きることがない、また、記憶部に記憶される狭帯域により通信を行うので、帯域が偶然一致しない限り、第三者の予期しない送信が混信することもない。
【０００６】
本発明の詳細な特徴によれば、変調部は、人体に印加して人体に流すための送信信号を出力するよう変調を行う。これによって、恋人同士等の特定の相手との送信信号の授受が人体通信によって行われることになり、例えば互いに手を握りあったり、寄り添ったりすることにより同じ楽曲を同時に聞くなどのコンテンツの共有を行うことができる。この場合も、コンテンツ選択操作をするだけで、通信帯域の調整などをしなくても相手のコンテンツを共有することが可能となる。これは相手も同様である。従って、人体通信により両者が通信状態にあれば、お互いに相手のコンテンツものも含めて自分のもののようにコンテンツを取扱うことができる。本発明の他の詳細な特徴によれば、情報交換装置は携帯電話として構成される。これによって、互いに日常保持する情報交換装置によってコンテンツの共有を行うことができる。
【０００７】
本発明の他の詳細な特徴によれば、制御部によって調整された送信信号の帯域を、登録部に登録されている特定の相手に伝達する伝達部が情報交換装置に設けられる。これによって相手に優先して送信信号の帯域を決定した場合にこれを相手に伝達することにより帯域の調整を行うことができる。本発明の更に他の詳細な特徴によれば、制御部は、登録部に登録されている特定の相手から伝達される帯域を避けて送信信号の帯域を調整する。これによって相手が優先して送信信号の帯域を決定した場合にこれと重複しないよう帯域の調整を行うことができる。
【０００８】
本発明の更に他の詳細な特徴によれば、制御部によって調整された送信信号の帯域をコンテンツ再生用の情報再生装置に伝達する伝達部が情報交換装置に設けられる。これによって、例えばヘッドフォンやイヤホンなどの情報再生装置が情報交換装置とは別体にワイヤレスで構成した場合に対応できる。なお、上記のような情報再生装置は、情報交換装置保持者と同一人物に装着されたものでもよく、また特定の相手に装着されたものでもよい。なお、送信信号が人体通信により行われる場合は、同一人物の場合、例えばポケットに入れた情報交換装置から人体の皮膚などを通じて頭部の情報再生装置に帯域が伝達されることになる。また、相手が装着している情報再生装置の場合は握りあった手などを通じて帯域が伝達されることになる。
【０００９】
本発明のさらに詳細な特徴によれば、伝達部は、制御部によって調整された送信信号の帯域を情報再生装置に繰り返し伝達する。これによって、情報再生装置は、情報交換装置からのコンテンツの送信途中からでもコンテンツを再生することができる。例えば、送信信号が人体通信により行われる場合は、手を握りあったり互いに寄り添ったりした時点から、再生途中であってもコンテンツを共有することができる。
【００１０】
本発明の他の詳細な特徴によれば、制御部が調整した帯域とは異なった帯域を設定する設定部と、この設定部が設定した帯域から記憶部が記憶している帯域に復帰させる復帰実行部が情報交換装置に設けられる。これによって種々の事情に応じて通信帯域の変更が可能であるとともに、このような変更を行ったとしても、記憶部が記憶している特定の相手との間で調整済みの帯域への復帰が行われ、特定の相手との間で改めて通信帯域を調整する必要がない。このような復帰は、例えば、変更後所定時間経過後に自動的に行われるようにしてもよい。
【００１１】
本発明の他の詳細な特徴によれば、制御部は、登録された相手を含む３人以上の関係において送信信号の帯域を調整する。これによって、特定の相手を含むグループでコンテンツを共有する場合においても、互いに混線するのを防止することができる。なお、上記の復帰実行部は、このような、３人以上の関係における送信信号の帯域調整の結果設定帯域に変更が生じたときでも、これを特定の相手との間で調整済みの帯域に復帰させる上で有用である。
【００１２】
本発明の他の特徴によれば、情報交換装置および情報再生装置を有する情報交換システムが提供される。上記のシステムにおいて、情報交換装置は、コンテンツ保持部が保持するコンテンツを所定帯域の送信信号に変調する変調部、この変調部が変調する送信信号の帯域を調整する制御部およびこの制御部により調整された帯域を外部に伝達する伝達部を持つ。一方、情報再生装置は、情報交換装置の伝達部によって伝達された帯域を記憶する記憶部、この記憶部が記憶する帯域の送信信号をコンテンツに復調する復調部およびこの復調部が復調するコンテンツを再生する再生部を持つ。これによって、情報交換装置と情報再生装置の間で混乱なくコンテンツが授受され、再生が行われる。なお、上記本発明の具体的な特徴によれば、上記システムにおける変調部は、人体に印加して人体に流すための送信信号を出力するよう変調を行うとともに、復調部は人体を流れる送信信号を復調する。
【００１３】
本発明の他の特徴によれば、特定の相手を登録する登録部と、コンテンツ保持部が保持するコンテンツを人体に印加して人体に流すための送信信号に変調する変調部と、他の人体との接触状態を検出する検出部と、この検出部の検出に基づきコンテンツの送信を開始する送信制御部とを有する情報交換装置が提供される。これによって、特に操作をしなくても、例えば互いに寄り添ったりすることによりコンテンツを共有することができる。また、コンテンツがメールの場合、メールを作成して相手の手を握ることにより、それ以外の操作をしなくても人体通信でメールを送信することがきる。上記本発明の詳細な特徴によれば、送信制御部は、接触状態の検出が所定時間ないと、次に接触状態を検出してもコンテンツの送信を開始しないよう構成される。これによって、例えば、メール交換が済んだあと、予期しない他人との接触によって不用意にメール送信が行われるのを防止することができる。上記本発明の他の詳細な特徴によれば、情報交換装置が携帯電話として構成される。これによって、互いに日常保持する情報交換装置によって人体通信によるコンテンツの共有を行うことができる。
【発明を実施するための最良の形態】
【００１４】
図１は、本発明の実施の形態に係る情報交換装置の第１実施例を示すブロック図である。本実施例は第１携帯電話１および第２携帯電話１０１からなる一対の携帯電話を含むシステムを構成している。第２携帯電話２内部の構成は基本的には第１携帯電話１と同一であり、対応する構成には下二桁が同じ番号を付与し、必要のない限り、第２携帯電話１０１の詳細の説明は省略する。
【００１５】
第１携帯電話１は、携帯電話全体を制御するコンピュータからなる第１携帯制御部６を有し、電話操作部８の操作に応じて、第１電話機能部１０などを制御する。第１電話機能部１０は通常の電話機能に関する部分であり、音声の処理部や送話器、受話器を含む。第１携帯制御部６の機能は記憶部１２に格納されたソフトウエアによって実行される。記憶部１２は、また第１携帯電話１全体の制御に必要な種々のデータを一時的に格納するとともに、住所録データなど携帯電話に蓄積保持すべき情報の記憶装置にもなっている。第１携帯制御部６は、さらに表示部１４を制御し、電話操作部８の操作と連携するＧＵＩ表示を行うとともに制御結果の表示を行う。第１携帯制御部６は、発音部２２の制御も行っている。この発音部２２は音声出力部である受話器とは別に設けられており、表示部１４とも連動して第１携帯電話の種々の機能に関する通知音や警告音を発生するとともにテレビ電話モードなどにおけるスピーカーの役目も果たす。
【００１６】
ＧＰＳ部１６は、ＧＰＳシステムに基づいて衛星または最寄の放送局より第１携帯電話１の絶対位置情報である緯度、経度、および高度の情報を得て第１携帯制御部６に送る。この絶対位置情報は、第１携帯制御部６の制御により地図とともに表示部１４に表示され、ナビゲーション情報として提供される。
【００１７】
第１携帯電話１は、第１電話機能部１０および第１電話通信部１８により通常の通話を含む電話回線を介した無線通信を行うことができる。第１携帯電話１には、これと別に無線ＬＡＮ、Ｂｌｕｅｔｏｏｔｈ（商標）、微弱電波などによる第１携帯近距離通信部２０が備えられており、近距離通信圏内に存在する他の携帯電話等との無線通信が可能となっている。この第１携帯近距離通信部２０は法規制上問題のない規格に基づくものであって、通信圏は限られるが電話回線などのように料金が発生しないものである。
【００１８】
第１携帯近距離通信部２０は、後述する名刺情報などの交信の他、上記のＧＰＳ部１６において取得した絶対位置情報を他の機器のＧＰＳ部に送信すると共に、他の機器がそのＧＰＳ部で取得した絶対位置情報を受信することができる。これにより、表示部１４において自分の位置だけでなく他の機器の位置についても同一の地図上で表示することが可能となり、両者の相対関係を地図上で確認できる。その詳細については、同一出願人による特許願２００７−２８３９３などに記載されている。また、第１携帯電話１は、不図示のカメラ部を有し、撮影した画像を記憶部１２に記憶することが可能であるとともに、第１電話通信部１８によって画像を他の携帯電話に送信することができる。なお、第１携帯電話１は、充電式の主電源２４によって給電されていると共に、記憶部１２はさらにリチウム電池などからなる補助電源２６によりバックアップされている。これによって、主電源２４の放電や交換の際に記憶部１２に記憶されている情報が揮発するのを防ぐ。
【００１９】
第１携帯電話１はさらに、復調／変調部２８、およびこれと協働する送受信電極３０を有している。これらは、例えば特開２００６−２７１７９８等に開示されている人体通信システムを構成するもので、記憶部１２に記憶されている第
１携帯電話１の保有者の名刺情報などが第１携帯制御部６から出力されると、これが復調／変調部２８で送信信号に変調され、この送信信号が容量結合３０を介して送受信電極３２から第１携帯電話１を持つ人体３４に印加される。図１では、人体３４として握手状態にある右手部分のみを代表的に図示しているが、実際には図示されていない人体３４の左手によって第１携帯電話１が持たれているので、容量結合３０は送受信電極３２と図示されない左手との間で生じている。
【００２０】
上記のようにして人体３４に送信信号が印加されると、送信信号に応じた強さの静電磁界または誘導電磁界が人体３４周りに誘起される。従って、人体３４の右手が図１のように人体１３４の右手と握手状態になると、人体３４周りの静電磁界または誘導電磁界が人体１３４に伝達される。このとき、人体１３４の図示されない左手が第２携帯電話１０１を持っていた場合、この左手と送受信電極１３２との間の容量結合１３０により送信信号が検出され、これが変調／復調部１２８で復調されることにより第２携帯制御部１０６は送信された名刺情報などを受取ってこれを記憶部１１２に記憶させる。  以上によって、人体３４と人体１３４の握手によって記憶部１２の名刺情報などが記憶部１１２に伝達される。同様にして、記憶部１１２に記憶部１１２の名刺情報などが記憶部１２に伝達され、握手による電子的な名刺情報の交換が成立する。このようにして人体通信により名刺情報の電子的な交換が可能となる。交換された名刺情報は、お互いに、表示部１４または表示部１１４に表示することにより随時確認できるとともに、これらを電子データとして適宜処理することができる。
【００２１】
図１における第１携帯電話１と第２携帯電話１０１は通信回線の基地局を介したインフラストラクチャー通信によって、第１電話通信部１８と第２電話通信部１１８との間で通信可能である。  一方、第１携帯電話１と第２携帯電話２とは、第１携帯近距離通信部２０と第２携帯近距離通信部１２０によって直接のアドホック通信が可能である。
【００２２】
図２は、図１の第１実施例における第１携帯制御部６の機能の基本フローチャートであり、第１携帯電話１の電源オン操作によってスタートする。フローがスタートすると、まずステップＳ２で携帯電話機能の初期立上げおよび各機能のチェックが行われる。  次いでステップＳ４で表示がオン状態かどうかのチェックが行われる。そして表示がオンならす８に進む。一方、表示がオンでなければステップＳ６で表示をオンにする操作の有無がチェックされ、表示オン操作が検出されればステップＳ８に移行する。通常、携帯電話は電源をオンすると表示がオン状態で立ち上がるので、ステップＳ４から直接ステップＳ８に進む。なお、後述のように携帯電話がオンである限り適宜ステップＳ４のチェックが行われる。そして、例えば折畳式携帯電話において携帯電話が折り畳まれて表示がオフの待ち受け状態となっている場合、または所定時間操作がなかったことを検出して働くオートオフ機能により表示がオフとなっていた場合は、ステップＳ４からステップＳ６に進むことになり、このとき携帯電話が開かれるか、何らかの操作が行われて表示がオンになったことが検出されればステップＳ６からステップＳ８に進む。                
【００２３】
ステップＳ８では、操作メニューの中から名刺交換モードが選択されたかどうかがチェックされる。そして選択があればステップＳ１０の名刺交換モード処理に入り、これが終了するとステップＳ１２に進む。ステップＳ１０の名刺交換モード処理の詳細は後述する。一方、ステップＳ８で名刺交換モードの選択が検出されないときは直接ステップＳ１２に移行する。  ステップＳ１２では、操作メニューの中から名刺表示モードが選択されたかどうかがチェックされる。そして選択があればステップＳ１４の名刺交換モード処理に入り、これが終了するとステップＳ１６に進む。ステップＳ１４の名刺表示モード処理の詳細は後述する。一方、ステップＳ１２で名刺表示モードの選択が検出されないときは直接ステップＳ１６に移行する。
【００２４】
ステップＳ１６では、操作メニューの中からスキンシップモードが選択されたかどうかがチェックされる。そして選択があればステップＳ１８のスキンシップモード処理に入り、これが終了するとステップＳ２０に進む。ステップＳ１８のスキンシップモード処理は、互いに手を繋いだり寄り添ったりするスキンシップ状態において人体通信によりメール情報を交換したり、楽曲の再生情報を共有したりすることができるモードである。一方、ステップＳ１６でスキンシップモードの選択が検出されないときは直接ステップＳ２０に移行する。ステップＳ２０では、人体通信に対応している他の携帯電話の存在が第１携帯近距離通信部２０の通信により検出できるかどうかがチェックされる。そして検出があればステップＳ２１の対応機種検出処理に入り、これが終了するとステップＳ２２に進む。ステップＳ２１の対応機種検出処理の詳細は後述する。一方、ステップＳ２０で携帯電話が検出されないときは直接ステップＳ２２に移行する。ステップＳ２２では情報交換用のペアリングまたはペアリングされたペアの登録の有無をチェックし、ペアリングまたはペア登録があればステップＳ２３に進んでペア登録管理処理を行ってステップＳ２４に移行する。ステップＳ２３のペア管理処理は、ステップＳ１８のスキンシップモード処理またはステップＳ２１の対応機種検出処理によってなされたペアリングまたはペア登録があったとき、セキュリティ確保の観点からその管理を行うものであるが、その詳細は後述する。なお、ステップＳ２２でペアリングまたはペア登録がなければ直接ステップＳ２４に移行する。
【００２５】
ステップＳ２４では、表示をオフする機能が発動したかどうかがチェックされる。そしてこの機能の発動がない場合、フローはステップＳ４に戻り、以下、表示がオンである限りはステップＳ４からステップＳ２４を繰り返す。一方、ステップＳ２４で表示をオフする機能の発動が検知されたときはステップＳ２６に移行する。これは、前述のように、例えば携帯電話を折り畳む操作によって手動で表示がオフされた場合、または所定時間操作がなかったことによってオートオフ機能が働いて表示が自動的にオフとなった場合が該当する。  ステップＳ２６では、電源オフ操作が行われたかチェックされる。そして電源オフ操作が検出されない場合、フローはステップＳ４に戻り、以下、電源がオンである限りはステップＳ４からステップＳ２６を繰り返す。一方、ステップＳ２６で電源オフ操作が検知されたときは直ちにフローを終了する。
【００２６】
なお、ステップＳ６で表示をオンする操作が検出されなかったときは、直接ステップＳ２０に移行する。このように、表示がオンでない限り、名刺交換モードやスキンシップモードが選択できないようになっており、未知の人物に触られたり、また不用意に物に触ったりすることにより情報が第１携帯電話の情報が漏れたりスキミングされたりすることを防止している。  さらに、名刺交換モードやスキンシップモードは意図的に選択されない限りその機能が働かないようになっており、上記の表示オンの条件に加えて人体通信による不測の情報漏洩がないよう二重のセキュリティ対策が講じられている。
【００２７】
図３は、図２のステップＳ２１における対応機種検出処理の詳細を示すフローチャートである。図２のステップＳ２０により携帯電話が近くにあることが検出されると図３の対応機種検出処理がスタートする。これは例えば、来客を応接室に通したとき、来客の保持する第２携帯電話が人体通信に対応している機種であることが自身の保持する第１携帯近距離通信部２０の通信により検出できた場合に該当する。なお、図３のフローは来客が複数の場合にも対応できるよう構成されている。  フローがスタートすると、まずステップＳ３２において、検出した人体通信に対応可能な携帯電話の全機についてそのそれぞれを特定するための情報を受信する。この特定用情報としては、例えば各携帯電話に割当てられたシリアル番号または電話番号が用いられる。なお人体通信に対応しているかどうかは、対応機種であることを示すコードをお互いに交換することによって可能である。  
【００２８】
次いでステップＳ３４で人体通信に対応可能な携帯電話が複数検出されたかどうかがチェックされる。そして複数の携帯電話が検出された場合はステップＳ３６に進み、例えば、来客サイドの会社と応対サイドの会社の各メンバーについての可能な全ての組合せがペアリングされる。この際、同一サイド、例えば自分の会社のメンバー同士の組合せは意味がないので除外される。  具体例で示すと、Ａ社（メンバーＡ１、Ａ２）がＢ社（メンバーＢ１、Ｂ２、Ｂ３）と対応する場合、ステップＳ３６のペアリングにおいて求められる全組合せは、ペア１（Ａ１とＢ１）、ペア２（Ａ１とＢ２）、ペア３（Ａ１とＢ３）、ペア４（Ａ２とＢ１）、ペア５（Ａ２とＢ２）およびペア６（Ａ２とＢ３）となる。
【００２９】
さらに、ステップＳ３８では、各ペアの優先順が決定される。例えば、上記においてペア１、ペア２、ペア３、ペア４、ペア５、ペア６の順に優先順を決定する。これに続き、ステップＳ４０では、各ペア内の優先順を決定する。例えばペア１において優先順をＡ１、Ｂ１の順とする。これらの優先順は、例えばシリアル番号を用いて自動的に決定される。すなわち、ペア内の優先順はシリアル番号順とし、ペア間では、各ペア内の若い方のシリアル番号を他のペアのそれと比較して優先順を決定する。これらの優先順は便宜的なものであり、後述するように複数の携帯電話の機能を整理することを目的とする。  なお、ステップＳ３４において人体通信に対応可能な携帯電話が一つしか検出されなかった場合は、ステップＳ３６およびステップＳ３８を省略し、直接ステップＳ４０を実行する。
【００３０】
以上のペアリングと優先順決定がなされるとステップＳ４２に進み、いずれかのペアの相手が自分の携帯電話の至近距離内に接近したかどうかをチェックする。これは、名刺交換のために誰かと対面した場合に該当し、相手は一人である。具体的には、名刺交換のために対面できる者と他の者との距離の差から最近接の者のみを検出し、さらにその者が所定距離以内に接近したことを検出する。この機能は、第１携帯近距離通信部２０によって相手からの電波の強さを検出することにより達成される。このようにして、至近距離内に接近した携帯電話が検出されるまでステップＳ４２が繰り返され、検出を待つ。  ステップＳ４２で自分を含むいずれかのペアの相手が自分の携帯電話の至近距離内に接近したことが検出されるとステップＳ４４に進み、第１携帯近距離通信部２０の通信によって他のペアが発音中かどうかチェックする。この発音とは至近距離に入ったペアの携帯電話が人体通信に対応していることが確認されたときに両方の携帯電話から発生される所定周波数の音信号の発生を意味するが、その詳細は後述する。
【００３１】
ステップＳ４４で他のペアが発音中でなければ、自分のペアの携帯電話が人体通信に対応していることを示す発音を行っても、これが他ペアの発音に重なって妨害音となったり自ペアの発音が聞き取れなかったりする心配がないのでステップＳ４６に進む。ステップＳ４４のチェックを行った上でステップＳ４６に進むのは、名刺交換が複数ペアの間で同時並行して行われる可能性があり、もし仮にペア間の調整なしに随所で同時に発音が行われると互いに識別不可能となるので、このような事態を避ける意味がある。  ステップＳ４６では、音出力を行うためのエントリー信号を第１携帯近距離通信部２０から周囲の携帯電話に予備的に発信する。次いで、ステップＳ４８で所定の調整時間（例えば０．１秒）内に他のペアからのエントリー信号を受信していないかどうかチェックする。これは、発音が複数ペアから同時に行われることながいようにするためのもので、所定の調整時間内に複数の携帯電話からエントリー信号が発信されたときに発音順を互いに調整し、いきなり複数のペアから同時に発音が重なって行われな
いようにする。
【００３２】
ステップＳ４８で他のペアからのエントリーがあったことが検出されたときはステップＳ５０に進み、複数のエントリーの中で自分のペアの順位が最優先となっているかどうかチェックする。そして、最優先であればステップＳ５２に進む。一方、ステップＳ４８において他のペアからのエントリーが調整時間内に検出されないときは直ちにステップＳ５２に進む。ステップＳ５２では発音等が実行されるが、その詳細は後述する。  なお、ステップＳ４４において、発音中の他のペアがあれば当面発音は見合わせ、ステップＳ４２に戻る。また、ステップＳ５０において自分のペアの順位が最優先でないときも、次の発音は他のペアに譲り、ステップＳ４２に戻る。このようにして、ペア相手が至近距離に接近していて他のペアの発音がなく、かつ調整時間内に他のペアのエントリーがないか又はあっても自分のペアが最優先であるという条件がすべて満たされない限り、ステップＳ４２からステップＳ５０が繰り返される。
【００３３】
次にステップＳ５２について詳細に説明する。ステップＳ５２では、まず、接近したペアが握手によって情報交換可能な状態となるよう互いに登録される。また、ペア内の優先順位に基づいて和音構成音が発音部２２から出力される。例えば「ド」と「ミ」を構成音とする和音を発音する場合、ペアにおける自分の優先順が高ければ「ド」を発音する。一方、ペアの相手は同時に「ミ」を発音するので、「ド」と「ミ」のハーモニーが聞こえることになる。これによってペアの両者の携帯電話が同時に発音しても、両者が発音していることが明瞭に識別できる。一方しか発音しなければ単音しか聞こえないからである。  なお、ステップＳ５２における和音はペアごとに異なったものとされ、例えば別のペアでは例えば「レ」と「ファ」を構成音とする和音となる。また、ステップＳ４４からステップＳ５０の機能により自分のペアが発音しているときは他のペアからの発音が禁止されているので、自分のペアのハーモニーに他の音が混じることはない。  ステップＳ５２では、あわせて自分のペアが発音中であることを示す情報を周囲の携帯電話に発信し、これらの携帯電話においてステップＳ４４の機能が働くようにする。
【００３４】
ステップＳ５２で発音および情報発信が開始されるとこれを継続したままフローはステップＳ５４に進み、発音開始から所定時間（例えば５秒）経過したかどうかチェックする。そして未経過ならステップＳ５２に戻って発音と情報発信を継続し、経過刷ればステップＳ５６に進んで和音構成音の出力を停止するとともに発音中との情報発信を停止する。  次いで、ステップＳ５８に進み、対応機種検出処理を終了する操作がなされたかチェックする。操作がなければステップＳ６０に進み、決定されたペアのうち未だ相手が接近していないものがあるかどうかチェックする。そして未接近ペアがなければフローを終了する。なお、ステップＳ５８で対応機種検出処理を終了する操作が検出されると未接近ペアの有無にかかわらず、フローを終了する。一方、ステップＳ６０で未接近ペアがあればステップＳ４２に戻り、その接近を待つ。  ステップＳ５８を設けることにより、これ以上対応機種検出を継続する意思がない場合や直ちに名刺交換モードを選択したい場合において、対応機種検出処理を速やかに終了させることができる。なお、後述のように名刺交換モード選択の検出をステップＳ８だけでなく、名刺交換の割込みでも検出できるようにする場合は、ステップＳ５８の操作をしなくても、直ちに名刺交換モードの選択を行うことができる。
【００３５】
図３のフローにおいて、ステップＳ３２からステップＳ４０は、互いに特定用情報を受信しあっている全ての携帯電話においてそれぞれ必要に応じ他の携帯電話と同期をとりながら同時進行的に実行される。一方、ステップＳ４２からステップＳ６０は至近距離内に接近したペアの携帯電話間において、それぞれ必要に応じ同期をとりながら同時進行的に実行される。
【００３６】
図４は、図２のステップＳ１０における名刺交換モード処理の詳細を示すフローチャートである。図２のステップＳ８において名刺交換モードが手動で選択されたことが検出されると図４の名刺交換モード処理がスタートする。また、名刺交換モード設定の手動操作検出に基づく割込みでも図４のフローは随時スタートする。  ここで、名刺交換モードの選択がどのような状況で行われるかについて説明する。名刺の交換はまず紙名刺によって行われるが、名刺交換のために両者が接近したとき、図３のステップＳ５２の機能により和音が聞こえる。これによって両者の携帯電話が人体通信に対応していることおよび両者が情報交換のために互いに登録されたことがわかるので、両者は自分の携帯電話を取り出してそれぞれ名刺交換モードに手動設定し、握手による電子名刺交換に備えることができる。または、人体通信機能を備えた携帯電話が普及すれば、図３のステップＳ４２以降の機能を待たず、相手側との面談に臨む前に名刺交換モードへの設定を行う。  いずれにしても、名刺交換モードへの設定と互いの登録の両者が揃わないと握手をしても名刺情報は交換されず、不用意に名刺情報が漏洩しないようセキュリティーが保たれる。
【００３７】
図４の処理がスタートすると、まずステップＳ７２で握手が行われたかどうかがチェックされる。握手が検出されるとステップＳ７４に進み、握手した相手が、図３のステップＳ５２によって登録された者かどうかのチェックがなされる。そして、該当する相手であればステップＳ７６の名刺情報交換処理に移行する。その詳細は後述する。  ステップＳ７６の名刺情報交換処理が終了するとステップＳ７８に進み、現在表示中の名刺情報があるかどうかチェックする。例えば二番目以降の相手と握手した場合は、先の相手との握手によって取得した名刺情報が表示部１４に表示されているので表示中の名刺情報があることになる。
【００３８】
ステップＳ７８で表示中の名刺情報がある場合にはステップＳ８０に進み、この表示を終了させてステップＳ８２に進む。一方、ステップＳ７８で表示中の名刺情報がある旨の検出がなければ、自分にとって一番目の相手との握手が行われたことを意味するので、直接ステップＳ８２に進む。  ステップＳ８２では、ステップＳ７６で受信された新規の名刺情報を表示する。これによって、自分の携帯電話の表示部を見れば、紙の名刺をもらった場合と同様にして相手の肩書きや氏名などを文字情報として確認できる。次いで名刺情報の表示を継続しつつステップＳ８４に進み、名刺交換モード選択後の名刺情報受信順を自分の携帯電話に記憶させる。これは後述する名刺レイアウト整理の際の参考とするためである。  
【００３９】
次いでステップＳ８８で受信した情報が携帯電話に保存されている既存名刺のＩＤと一致するかどうかチェックする。このＩＤとしてはステップＳ３２で受信した携帯電話のシリアル番号や電話番号などをそのまま流用する。  ステップＳ８８で受信情報のＩＤが既存名刺ＩＤと一致していることが検出されればステップＳ９０に進み、今度は名刺情報の中身を既存情報と比較して命情報に変更があるかどうかチェックする。通常、同じ人物から再度名刺をもらう場合は会社、肩書きなどに変更があることが考えられるからである。
【００４０】
ステップＳ９０で名刺情報に変更があればステップＳ９２に進み、変更情報をその人物のＩＤファイルに追加保存してステップＳ９４に移行する。これによって、変更前の情報を維持しながらその人物の履歴が追加記録されていくことになる。一方、ステップＳ９０で名刺情報の変更が検出されない場合は直接ステップＳ９４に移行する。  また、ステップＳ８８で既存名刺ＩＤとの一致が検出されなかったときは初対面の人物なのでステップＳ９６に移行し、新規ＩＤファイルを作成する。次いで、ステップＳ９８でそのＩＤファイルに新規名刺情報を保存してステップＳ９４に移行する。
【００４１】
ステップＳ９４では、名刺情報の受信日時をＩＤファイル履歴に保存し、ステップＳ１００に移行する。ステップＳ９４における受信日時の保存によって、新規名刺情報や既存名刺の変更情報を受信した場合だけでなく、名刺情報に変更がない場合においても同じ相手との面会日時がその人物のＩＤファイル履歴に保存されていく。このように、握手による情報交換は名刺情報の取得だけでなく、同じ相手との面会履歴の蓄積にも有用である。なお、ステップＳ７２において握手の検出がなかったときは、直接ステップＳ１００に移行する。また、ステップＳ７４において握手検出した相手が登録された相手ではなかったときも直接ステップＳ１００に移行する。これによって握手が検出されたとしても登録相手でなかったときは以後の名刺情報交換処理に入らない。つまり、特定の相手でない限り名刺情報の交換は行われず、セキュリティが保たれる。ステップＳ１００では名刺交換モード終了操作の有無をチェックし、操作がなければステップＳ１０２に進んで名刺情報を交換していない登録ペアの有無をチェックする。そして名刺未交換の登録ペアがなければその場の全ての相手との名刺情報交換が終わったことを意味するので自動的にフローを終了する。一方、未交換登録ペアがあればステップＳ７２に戻り、以下、未交換ペアがなくなるまでステップＳ７２からステップＳ１０２を繰り返す。但し、ステップＳ１００で名刺交換モード終了の手動操作が検出されたときは、名刺未交換登録ペアの有無にかかわらず直ちにフローを終了する。
【００４２】
図５は、図４のステップＳ７６における名刺情報交換処理の詳細を示すフローチャートである。フローがスタートするとステップＳ１１２で握手しているペア内において自分の携帯電話の順が優先されるかどうかがチェックされる。そして優先でなければステップＳ１１４に進み、名刺情報の送信を開始する。この場合、逆に相手は優先であり、名刺情報の受信に入る。  次いでステップＳ１１６で握手が継続されているかどうかチェックし、継続されていればステップＳ１１８で送信が完了したかどうかチェックする。そして完了でなければステップＳ１１６に戻り、握手が継続している限りステップＳ１１６およびステップＳ１１８を繰り返して送信完了を待つ。
【００４３】
ステップＳ１１８で送信完了が確認されるとステップＳ１２０に進み、受信済かどうかチェックする。ステップＳ１１８からステップＳ１２０に移行した場合は通常受信済でないのでステップＳ１２２に進み、受信を開始する。  次いでステップＳ１２４で握手が継続されているかどうかチェックし、継続されていればステップＳ１２６で送信が完了したかどうかチェックする。そして完了でなければステップＳ１２４に戻り、握手が継続している限りステップＳ１２４およびステップＳ１２６を繰り返して受信を待つ。
【００４４】
ステップＳ１２６で受信完了が確認されるとステップＳ１２８に進み、受信した名刺情報を一時記憶する。これは後の表示に対応するとともに、必要に応じ記憶部１２に保存するためである。この一時記憶は少なくとも名刺情報交換直後に開始された名刺表示モード処理における表示が不要となるまで維持される。  一時記憶が完了するとステップＳ１３０に進み、送信済かどうかチェックする。ステップＳ１２８からステップＳ１３０に移行した場合は通常送信済なのでフローを終了する。
【００４５】
これに対し、ステップＳ１１２で握手しているペア内において自分の携帯電話の順が優先であった場合はステップＳ１２０に移行する。ステップＳ１１２からステップＳ１２０に移行した段階では受信済でないのでＳ１２２に進み、受信を開始する。  次いでステップＳ１２４で握手が継続されているかどうかチェックし、継続されていればステップＳ１２６で送信が完了したかどうかチェックする。そして完了でなければステップＳ１２４に戻り、握手が継続している限りステップＳ１２４およびステップＳ１２６を繰り返して受信を待つ。
【００４６】
ステップＳ１２６で受信完了が確認されるとステップＳ１２８に進み、受信した名刺情報を一時記憶する。そして、一時記憶が完了するとステップＳ１３０に進み、送信済か
どうかチェックする。ステップＳ１１２からステップＳ１２０に移行した結果ステップＳ１３０に至った場合は通常送信済ではないのでフローはステップＳ１１４に移行し、名刺情報の送信を開始する。  次いでステップＳ１１６で握手が継続されているかどうかチェックし、継続されていればステップＳ１１８で送信が完了したかどうかチェックする。そして完了でなければステップＳ１１６に戻り、握手が継続している限りステップＳ１１６およびステップＳ１１８を繰り返して送信完了を待つ。
【００４７】
ステップＳ１１８で送信完了が確認されるとステップＳ１２０に進み、受信済かどうかチェックする。この場合は通常受信済みなのでステップＳ１３０に進み、送信済みかどうかチェックする。この場合も通常は送信済なのでフローを終了する。  ステップＳ１３２からステップＳ１３８は、名刺情報の送信途上または受信途上において握手を中断した場合の処置に関するものである。
【００４８】
まず、ステップＳ１１６で握手がもはや継続されていないことが検出されたときはステップＳ１３２に進み、名刺交換が未完である旨の警告表示を表示部１４で行う。このとき発音部２２からもその旨の警告音出力またはアナウンスを行ってもよい。  そしてステップＳ１３４に進み、ステップＳ１３２の警告に応じて握手が再開されたかどうかチェックする。そして握手が検出されない限りステップＳ１３２とステップＳ１３４を繰返し、握手の再開を待つ。ステップＳ１３４で握手が検出されればステップＳ１１４に戻り、再送信を開始する。
【００４９】
一方、ステップＳ１２４で握手がもはや継続されていないことが検出されたときはステップＳ１３６に進み、名刺交換が未完である旨の警告表示を表示部１４（および必要に応じ発音部２２）にて行う。  そしてステップＳ１３８に進み、ステップＳ１３６の警告に応じて握手が再開されたかどうかチェックする。そして握手が検出されない限りステップＳ１３６とステップＳ１３８を繰返し、握手の再開を待つ。ステップＳ１３８で握手が検出されればステップＳ１２２に戻り、再受信を開始する。
【００５０】
図６は、図２のステップＳ１４における名刺表示モード処理の詳細を示すフローチャートである。図２のステップＳ１２において名刺表示モードが手動で選択されたことが検出されると図６の名刺表示モード処理がスタートする。また、名刺表示モード選択の手動操作検出に基づく割込みによっても随時図６の名刺表示モードをスタートさせることができる。  フローがスタートすると、まず、ステップＳ１４２においてメニューの選択により会議表示モードに設定されているかどうかチェックされる。会議表示モードとは、交換した紙の名刺を相手の着席位置に対応して机上に並べるのを模し、受信した肩書きおよび氏名を相手の着席位置に対応して表示部１４にレイアウトするモードである。
【００５１】
ステップＳ１４２において会議表示モードの設定が検出されるとステップＳ１４４に進み、最新の名刺交換モード期間内において交換した名刺情報を記憶部１２から読出す。具体的には図２のステップＳ８における名刺交換モード選択操作および図４の名刺交換モード終了の操作のそれぞれ最新のものの操作時刻を検出し、その間に受信した全名刺情報を読み出す。これは、一つの会議冒頭において名刺交換を終わって着席している相手側全メンバーの名刺情報に対応する。  紙の名刺の場合、既知の人物同士では名刺交換を行わない場合が多いので、その人物の名刺を机上に並べることはできないが、本実施例の場合、握手をしていれば既知の人物であっても改めて名刺情報が自動交換され、これが携帯電話に一時記憶されるので、会議の都度、相手側全員の名刺情報を表示部１４に表示することができ、人の記憶力の補助となる。
【００５２】
次いで、ステップＳ１４６に進み、表示オートオフ機能を禁止する。通常の計帯電話の表示においては、会議表示モードにおける表示以外の表示において所定時間操作がないと自動的に表示をオフする機能が設けられている。しかしながら、会議表示モードにおいては長時間携帯電話の操作をしないまま表示部１４に相手の名刺情報一覧を表示することが予想される。そこでステップＳ１４６では、オートオフ機能を禁止し、通常の携帯電話の機能におけるようにオートオフ機能が勝手に働いて、会議途中で自動的に名刺情報一覧表示がオフとなってしまうのを防止する。
【００５３】
次にステップＳ１４８において、相手側が着席した配置が第１携帯近距離通信部２０の情報に基づいて自動検知かのうかどうかがチェックされる。これは、複数の携帯電話間の電波強度情報を交換することによる三角測距による。  ステップＳ１４８で席は位置が自動検出可能な場合はステップＳ１５０に進み、受信した名刺情報から相手側出席者の肩書きおよび氏名を検出した着席配置に対応して自動レイアウトし、表示部１４に一覧表示してステップＳ１５２に移行する。
【００５４】
一方、ステップＳ１４８において、席は位置の自動検出が不可能と判断されたときはステップＳ１５４に移行して、受信した名刺情報から相手側出席者の肩書きおよび氏名を受信順情報付きで表示部１４に一覧表示する。この受信順情報は、図４のステップＳ８４を通じて記憶されたものである。  そして、ステップＳ１５６に進み、受信順情報と記憶力に基づく顔の特徴などにより手動で席順のレイアウト変更操作があったかどうかチェックする。これは、紙の名刺を受取った場合これを机上に並べることに該当する。ステップＳ１５６で手動レイアウト変更操作が検出されるとステップＳ１５８に進み、変更後のレイアウトに従って相手側出席者の肩書きおよび氏名を表示部１４に一覧表示してステップＳ１５２に移行する。一方、ステップＳ１５６で手動操作が検出されなければ直接ステップＳ１５２に移行する。
【００５５】
ステップＳ１５２では、表示部１４の一覧表示の中から特定の個人を選択する操作があったかどうかをチェックする。そしてこの操作があればステップＳ１６０に進み、被選択者に関する全ての名刺履歴情報を所定時間（例えば１０秒）だけ表示部１４に拡大表示する。そしてこの所定時間が経過すれば自動的に拡大表示を終了して一覧表示に戻るとともに、ステップＳ１６２に進む。なお、ステップＳ１６０からステップＳ１６２への移行は、このような所定時間経過による自動移行の他、手動操作による移行としてもよい。  一方、ステップＳ１５２で個人選択操作が検出されない場合は、直接ステップＳ１６２に移行する。
【００５６】
ステップＳ１６２では、会議表示モードを終了する操作があったかどうかを検出しており、検出がなければステップＳ１５２に戻る。以下、会議表示モード終了操作が検出されない限りステップＳ１５２、ステップＳ１６０およびステップＳ１６２が繰り返され、名刺情報の一覧表示が継続されるとともに、随時そのうちの特定個人の詳細履歴を確認することができる。  一方、ステップＳ１６２で会議表示モード終了操作が検出されたときはステップＳ１６４に進み、図５のステップＳ１２８で行われた受信名刺情報の一時記憶を消去してステップＳ１６６に至る。  また、ステップＳ１４２で会議表示モードの設定が検出されなかったときは、直接ステップＳ１６６に至る。
【００５７】
ステップＳ１６６では、通常表示モードが設定されたかどうかのチェックが行われ、設定が検出されたときはステップＳ１６８に進んで名刺情報の検索表示処理に入る。このステップＳ１６８では、記憶部１２に保存された名刺情報のデータベースを元に、第１携帯制御部６の制御下にある電話操作部８および表示部１４のＧＵＩによっては、検索条件の設定及び検索の実行が可能である。また、検索結果は、表示部１４に表示される。  ステップＳ１６８中における終了手順に従って名刺情報検索表示処理が終了すると名刺表示モードのフローは終了する。また、ステップＳ１６６において通常表示モードの設定が検出されないときは直ちにフローが終了する。
【００５８】
上記の第１実施例は携帯電話としたが、本発明の実施にこれに限られるものではない。例えば、上記に説明した名刺情報交換に関する諸機能を、携帯電話に換えて携帯情報端末（ＰＤＡ）や携帯音楽プレーヤーなどの他の携帯機器に組み込んでもよい。また、上記名刺情報交換に関する諸機能を腕時計に組み込むことも可能である。さらに、紙の名刺を入れるための名刺入れに上記名刺情報交換に関する諸機能を組み込むことも可能である。  なお、上記名刺情報交換に関する諸機能は一つの機器に組み込む場合だけでなく、複数の機器に分けて組み込むことも可能である。例えば、図１の変調/復調部２８、送受信電極３２、これらを制御するために必要最小限の構成および微弱電波通信機能とともに腕時計に組込み、他の機能をこのような腕時計と微弱電波通信機能を通じて通信可能なパソコンやカバンなどの必ずしも人体に近接せずに携帯される装置や用具に分け持たせるよう構成してもよい。さらに、上記のような腕時計と微弱電波通信により通信可能な機能は、必ずしも携帯機器に分け持たせる場合に限らず、会議室の設備として固定的に設けてもよい。
【００５９】
また、上記の第１実施例では、図２のステップＳ２１における対応機種検出処理の詳細として図３に第１携帯近距離通信部２０を利用した機能を示したが、本発明の実施はこれに限られるものではない。例えば、握手をした時点で人体通信により通信を試み、対応機種であることを示すコードなどの応答があれば相手機種が対応可能と判断するように構成することも可能である。この場合、一回の握手で、相手が応答可能であるかどうかの検知とこれに引続く名刺情報の交換まで一気に行うことも可能である。  また、上記に換えて、一回目の握手ではまず相手が対応可能かどうかの確認のみが人体通信で行われるよう構成することも可能である。この場合は、一回目の握手で相手が対応可能であることを確認した上で、図２の名刺交換モードの選択を行い、あとは二回目の握手をして図４と同様の名刺情報交換を行う。
【００６０】
図７は、図２のステップＳ２３におけるペア登録管理処理の詳細を示すフローチャートである。図２のステップＳ２２においてペアリングまたはペア登録があることが検出されると図７のペア登録管理処理がスタートする。フローがスタートすると、まずステップＳ１７２で未登録の名刺交換ペアがあるかどうかがチェックされ、該当があればステップＳ１７４に進む。ステップＳ１７２において未登録名刺交換ペアがある場合とは、図３のステップＳ３６からステップＳ４０におけるペアリングにより生ペアが生じたものの、ステップＳ５２における登録がないままにこれが残存し、ステップＳ５８にお居て検出された終了操作によって対応機種検出処理終了に至った場合である。  
【００６１】
ステップＳ１７４では、ステップＳ１７２で検出された未登録名刺交換ペアについて、それが図３のステップＳ３６からステップＳ４０におけるペアリングの原因となった図２のステップＳ２０の検出後、所定時間（例えば１５分）が経過したものであるかどうかチェックする。そして、所定時間が経過したものであればステップＳ１７８に移行し、該当する未登録の名刺交換ペアを解消してステップＳ１８０に進む。これは、対応携帯電話が検出された後にペア登録がないまま所定時間が経過した場合、名刺交換の意図がないものと判断し、以後の混乱や意図しない情報漏洩を防止するため、名刺交換ペアを解消するものである。
【００６２】
一方、ステップＳ１７４のチェックにおいて、でまだ所定時間が経過していなかったものであったときはステップＳ１７６に進む。ステップＳ１７６では、ステップＳ１７２で検出された未登録名刺交換ペアについて、それが図３のステップＳ５８の機能により対応機種検出処理が終了した結果残存しているものであるかどうかチェックする。そして、該当すればステップＳ１７８に進み、未登録の名刺交換ペアを解消してステップＳ１８０に進む。これは、ステップＳ１７４における所定時間が経過していなくても、未登録名刺交換ペアを残してステップＳ５８において対応機種検出処理終了操作が検出されたときは、これらについてもはや
名刺交換を行う意図がないものと判断し、以後の混乱や意図しない情報漏洩を防止するため、名刺交換ペアを解消するものである。以上のようにして、未登録交換ペアが残存して意図しない名刺交換が生じてしまうことが防止される。なお、ステップＳ１７２において未登録名刺交換ペアが検知されなかったときは、ステップＳ１７４からステップＳ１７８の処理は必要ないので、直接ステップＳ１８０に移行する。
【００６３】
上記において、もしステップＳ５８で検出された対応機種検出処理終了操作が以後の未登録ペアとの名刺交換を意図している状況で行われていたとしても、ステップＳ１７６からステップＳ１７８に進むことで未登録名刺交換ペアを一旦解消することに問題はない。名刺交換を意図する相手が近辺に居る限り、図２のフローの繰り返しによって再度ステップＳ２０およびステップＳ２１に至れば再度ペアリングが行われるからである。また、図２から明らかなように、ステップＳ２２における検出はステップＳ２１の対応機種検出処理の終了後に行われるので、通常はステップＳ１７６が機能してステップＳ１７８に至る。ステップＳ１７４が機能するのは、名刺交換モード設定の手動操作検出に基づく割込みで図４のフローがスタートすることになった結果、図３のステップＳ５８を経ずに対応機種検出処理が強制終了されて未登録名刺交換ペアが残存してしまった場合である。なお、ステップＳ１７４はその他、予期されないあらゆる未登録名刺交換ペアの残存事態に対応できる。
【００６４】
ステップＳ１８０では名刺交換が行われていない登録ペアの有無がチェックされる。このような登録ペアがあったときはステップＳ１８２に進み、名刺交換モードが設定済みかどうかチェックする。設定済みでなければ、ステップＳ１８４に進み、該当ペアの登録後所定時間（例えば１０秒）経過したかどうかチェックする。そして所定時間が経過していなければステップＳ１８６に進む。一方、ステップＳ１８２において名刺交換モードが設定されていた場合は直接ステップＳ１８６に至る。ステップＳ１８６では、名刺交換モードの設定後所定時間（例えば３分）が経過したかどうかのチェックを行う。そして所定時間の経過がなければステップＳ１８８に進む。なお、ステップＳ１８６のチェックは基本的にはステップＳ１８２から直接ステップＳ１８６に至った場合に対するものであり、ステップＳ１８４経由でステップＳ１８６に至った場合は、名刺交換モード未設定なのでステップＳ１８６のチェック結果は必ず所定時間未経過となりステップＳ１８８に至る。
【００６５】
ステップＳ１８８では、登録ペアがある状態で図４のステップＳ１００における名刺交換モード終了操作が行われたかどうかチェックする。ステップＳ１８８で登録ペアが残存するにもかかわらず名刺交換モードを終了させる操作があったことが検知されると、ステップＳ１９０に進み、該当する登録ペアを保存するかまたは抹消するか等の処分を決める処理を行う。その詳細は後述する。
【００６６】
一方、ステップＳ１８４またはステップＳ１８６において所定時間が経過した場合も、もはや名刺交換の意図がないものと考えられるのでステップＳ１９０に進む。ステップＳ１９０の該当登録ペア保存・抹消処理が終了するとステップＳ１９２に進む。また、ステップＳ１８８で名刺交換モード終了操作が検出されなかったときも、ステップＳ１９２に移行する。なお、ステップＳ１８０で登録ペアが検出されなかったときは、直接ステップＳ１９２に至る。以上、ステップＳ１７２からステップＳ１９０までは、未登録名刺交換ペアまたは名刺未交換の登録ペアが不用意に残存することにより意図しない名刺情報の漏洩が起こることを防止するため、これらのペアの処分を行うためのものである。  
【００６７】
一方、ステップＳ１９２からステップＳ１９６は、他人との接触によって名刺情報が流出することを許可する名刺交換モードの設定が放置されることによって意図しない名刺情報の漏洩が起こることを防止するためのものである。まず、ステップＳ１９２は、名刺交換モード設定済みであるにもかかわらず名刺未交換情愛の登録ペアが存在しないような状態であるかどうかチェックする。そして該当すればステップＳ１９４に進み、名刺交換モード設定後所定時間（例えば１５分）が経過したかどうかチェックする。そして経過していればステップＳ１９６に進んで名刺交換モードを自動的に解除してステップＳ１９８に至る。これは、ステップＳ１９２のような不合理な状態が所定時間以上続いたときは名刺交換モード終了の操作忘れがあったもの考え、名刺交換モードが継続して意図しない名刺情報流出に繋がるのを防止するためである。なお、ステップＳ１９２において、名刺交換モード設定済みであるにもかかわらず名刺未交換情愛の登録ペアが存在しないような状態であるとの検出がなかった場合、またはステップＳ１９４において所定時間の経過が検出されなかった場合は、直接ステップＳ１９８に至る。
【００６８】
ステップＳ１９８では、図２のステップＳ１８におけるスキンシップモード処理の対象となるスキンシップペアの有無をチェックする。そしてこのようなペアがあればステップＳ２００に進み、スキンシップペア管理処理に入る。この処理は、スキンシップペア間で想定される人体通信において、メール情報を交換の際のセキュリティを楽曲の再生情報共有の際のセキュリティよりも厳しくしたり、スキンシップペアの設定が放置されて予期しない他人の接触によりプライバシーが侵害されるのを防止したりするための管理処理である。スキンシップベア管理処理が終了すると図７のペア管理処理は終了する。また、ステップＳ１９８においてスキンシップペアが検出されなかったときは直ちにペア管理処理を終了する。
【００６９】
図８は、図７のステップＳ１９０における該当登録ペア保存・抹消処理の詳細を示すフローチャートである。まず、ステップＳ２１２では、該当する登録ペアの相手のＩＤが既存名刺ＩＤと一致するかどうかチェックする。これは過去名刺交換を行っている相手かどうかの確認を意味する。そして既存名刺ＩＤとの一致がなければステップＳ２１４に進み、該当する登録ペアを抹消してフローを終了する。一方、ステップＳ２１２で既存名刺ＩＤとの一致が検出されればステップＳ２１６に進み、名刺交換の最新日時から所定日時（例えば６ヶ月）が経過したものかどうかチェックする。そして所定日時以上経過した古いものであったときはステップＳ２１４に進み、該当する登録ペアを抹消してフローを終了する。
【００７０】
ステップＳ２１６で所定日時が経過していないものであることが確認された場合は、ステップＳ２１８に進み、該当する登録ペアを上書き保存してステップＳ２２０に進む。これは、名刺交換をした相手であってその情報が比較的新しい場合は、その相手との名刺情報が流れてもセキュリティー上のリスクが少なく、登録を維持するのが適当だからである。なお、内容に異動があればステップＳ２１８で登録のメンテナンスもできる。ステップＳ２１８によってリスクの少ない相手との登録ペアの保存を継続することは、名刺交換モードの設定だけで速やかにその相手との次回の名刺情報交換ができる点でも意味がある。
【００７１】
ステップＳ２２０では、登録ペアの相手との間で所定期間（例えば最近一年間）内に複数回名刺情報を受領したかどうかのチェックを行う。そして該当すればステップＳ２２２に進む。ステップＳ２２２に該当する場合とは、まず、最新の名刺情報受領が過去６ヶ月以内であることがステップＳ２１６で確認され、且つその前回の名刺情報受領も過去一年間以内であるということなので、最近頻繁に会うビジネス関係にある相手であることを意味する。従ってこの場合はステップＳ２２２に進み、握手ＩＤによる名刺情報交換割込みを可能にしてフローを終了する。また、ステップＳ２２０で所定期間内の複数回情報受領が確認できない場合は直ちにフローを終了する。
【００７２】
ステップＳ２２２の具体的な機能は、握手によるＩＤ交換によってステップＳ２２０の条件を満足する相手であることがわかったときに直ちに図５のフローの実行に入るための割込みを可能にするものである。従って、ステップＳ２２２により割込みが許可された相手であれば、名刺交換モードの選択をしなくても、ただ握手をするだけで図５のフローから図４のステップＳ７８以降のフローの実行が行われる。この場合、頻繁に会う相手なので、実際には図４のフローの実行において、ステップＳ８８からステップＳ９０を経て直接ステップＳ９４に進み、単に面会の日時だけがＩＤファイル履歴に蓄積されていく場合が多いことが予測される。
【００７３】
図９は、本発明の実施の形態に係る情報交換装置の第２実施例を示すブロック図である。第２実施例は図１の第１実施例の構成に、さらにヘッドフォンブロック２０２が追加されたものである。従って、図９における第１携帯電話１の構成は図１と同様なのでそれぞれの構成に同一番号を付し、後述する変調／復調部２８以外については説明を省略する。また、図９における第２携帯電話１０１の構成も図１と同様なので、冗長を避けるため、変調／復調部１２８および送受信電極１３２以外は図示を省略するとともに説明も省略する。
【００７４】
図１で説明したように、人体３４（右手部分以外は不図示）は第１携帯電話１の持ち主であり、送受信電極３２との間の容量結合３０により復調／変調部２８からの送信信号が印加される。図１では、人体３４の左手（不図示）によって第１携帯電話１が持たれることにより、左手と送信電極３２との間に容量結合３０が生じる場合を説明したが、第１携帯電話１が衣服のポケット等に入っていて人体３４の皮膚に近接している場合には、感度を適切に設定することにより衣服を介して送受信電極３２と人体３４の皮膚との間に信号授受のための容量結合３０を生ぜしめることもできる。
【００７５】
図９の第２実施例では、第１携帯制御部６から楽曲信号が出力され、これが変調／復調部２８で変調された後、上記のような容量結合３０によって送信信号として人体３４に印加されるとともに、この楽曲信号がヘッドフォンブロック２０２によって鑑賞される。ヘッドフォンブロック２０２は人体３４と同一人物の頭部２０４に装着されるワイヤレスヘッドフォンとなっており、人体３４に印加された楽曲信号が人体３４の皮膚を伝わって頭部２０４に到達すると、これが受信電極２０６と頭部２０４との容量結合２０８を介して受信電極２０６に受信される。
【００７６】
受信電極２０６で受信された楽曲信号は、バッファ２０９を介し、制御部２１０によって制御される復調部２１１の判定部２１２に入力される。制御部２１０は判定部を復調部２１１全体の機能を制御するとともに、判定部２１２による判定に必要なデータ等ための記憶部を持っている。判定部２１２は、受信した変調信号が受信に適合したものかどうかを判定するためのものであるがその詳細は後述する。判定部２１２により受信に適合していると判定された楽曲信号は復調部２１１によって復調され、デジタルシグナルプロセッサ２１４に送られる。
【００７７】
デジタルシグナルプロセッサ２１４は、操作部２１６の手動操作に基づく出力音量の調節などの信号処理を行うものであり、処理後のデジタル楽曲信号をＤＡコンバータ２１８に出力する。ＤＡコンバータ２１８からのアナログ楽曲出力はヘッドフォンアンプ２２０によって増幅された後、左右両耳用にそれぞれ設けられたヘッドフォン２２２からステレオの楽曲として頭部２０４の両耳に出力される。
【００７８】
ヘッドフォンブロック２０２は第１携帯電話１とは独立しているので、電池により給電される電源部２２４を専用に備えている。なお、ヘッドフォンブロック２０２は、小型化することにより、左右の耳用の一対の独立したイヤホンブロックとして構成することもできる。その場合は、左右のイヤホンブロックがそれぞれヘッドフォンブロック２０２と同様の構成を持つことになる。
【００７９】
次に、図９における、第１携帯電話１の変調／復調部２８、第２携帯電話１０１の変調／復調部１２８およびヘッドフォンブロック２０２の復調部２１１の構成の詳細について説
明する。第１携帯電話１の変調／復調部２８および第２携帯電話１０１の変調／復調部１２８はそれぞれ設定／判定部５０および１５０を備えている。一方、ヘッドフォンブロック２０２の復調部２１１は上記のように判定部２１２を備えている。これらは協働して、特定のヘッドフォンブロックに楽曲を出力するとともに、予期しない音信号がヘッドフォンブロックに混入することを防止する。構第１携帯電話１の変調／復調部２８、第２携帯電話１０１の変調／復調部１２８これらは同様の構成なので、以下、主に設定／判定部５０と判定部２１２に基づいて説明を行う。
【００８０】
まず、第１携帯制御部６から楽曲信号が出力され、これが変調／復調部２８に入力されると、設定／判定部５０においてチャンネル設定、ヘッダ設定および暗号設定が行われ、これらの設定に基づいて楽曲信号の変調が行われ、容量結合３０によって送信信号として人体３４に印加される。設定／判定部５０における設定は、特定のヘッドフォンブロックに楽曲を出力するとともに、予期しない音信号がヘッドフォンブロックに混入することを防止するためのもので、それぞれ、チャンネルが一致しないか、ヘッダ部が一致しないか、または暗号の復号ができない相手に送信信号が人体通信を通じて漏洩するのを防止する。
【００８１】
人体３４に印加された楽曲信号は人体３４の皮膚を伝わって頭部２０４に到達し、受信電極２０６によって受信されてバッファ２０９を介して判定部２１２に入力される。判定部２１２は楽曲信号のチャンネル、ヘッダ部を判定するとともに暗号部の復号を行う。このようにして、チャンネルとヘッダ部が一致し、かつ暗号の復号が可能であった楽曲信号のみが復調部２１１からデジタルシグナルプロセッサ２１４に出力される。これによって、第１携帯電話１から真正に出力された楽曲信号のみがヘッドフォンから流れることになり、予期しない他人との接触により他人が聞いている楽曲がヘッドフォン２２２に混入するような事態が防止される。
【００８２】
ここで、バッファ２０９の機能について補足する。第１携帯電話１の変調／復調部２８は、設定／判定部５０によって設定されるヘッダ部を送信すべき単位デジタル信号（パケット）に付加するとともに、これを所定回数（例えば５回）繰り返して送受信電極３２に出力し、これらがバッファ２０９に保持されることになる。判定部２１２はバッファ２０９に保持される同一の所定個（例えば５個）の単位デジタル信号を一つずつ読み出して判定する。そして、チャンネルとヘッダ部が一致している場合は、所定個の単位デジタル信号を相互処理して誤り訂正などを行い、デジタルシグナルプロセッサ２１４に出力する。なお、誤り訂正を行わずに、チャンネルとヘッダ部が一致した最先の単位デジタル信号を速やかにデジタルシグナルプロセッサ２１４に出力し、あとの同一の単位デジタル信号を破棄するよう構成してもよい。
【００８３】
上記のように構成すれば、チャンネルが偶然または悪意により一致する未知の信号が予期しない他人との接触により受信電極２０６に混線し、これが単位デジタル信号のヘッダ部受信タイミングに重なるような事態に対応できる。つまり、このような場合、第１携帯電話１からの真正の送信信号であるにもかかわらずその単位デジタル信号のヘッダ部を正しいものとして認識できないが、同一の所定個の単位デジタル信号のうちの他タイミングで受信したヘッダ部を正しいと認識できればこの単位デジタル信号を採用してデジタルシグナルプロセッサ２１４に出力することができる。上記の構成は、暗号化された同一の所定個の単位デジタル信号のデータ部のいずれかに未知の信号が重なって復号できない場合にも有用である。つまり、他のタイミングで受信した同一データを復号することができれば、これをデジタルシグナルプロセッサ２１４に出力することができる。
【００８４】
なお、設定／判定部５０によるチャンネル設定、ヘッダ設定および暗号設定は、送信信号の種類に応じそのいずれかを省略してもよい。また、その設定についても送信信号の種類に応じて管理のしかたが異なるようにしてもよい。送信信号の種類としては、上記のような楽曲の送信の他、電子メールの送信などがあるが、これらの扱い方および設定の管理の詳細は後述する。
【００８５】
以上は、第１携帯電話１から出力される楽曲を自身の体３４を通じて自身の頭部２０４に装着されたヘッドフォンブロック２０２で鑑賞する場合であるが、例えば恋人の人体１３４の手を握ることにより、恋人の所有する第２携帯電話１０１から出力される楽曲を、自身のヘッドフォンブロック２０２で共有して鑑賞することも可能である。またこの逆に、自身の第１携帯電話１から出力される楽曲を恋人の人体１３４の手を握ることにより、恋人の頭部に装着された同様のヘッドフォンブロックにより共有して鑑賞させることも可能である。このような恋人同士の楽曲の共有にあたっては、互いにチャンネル設定、ヘッダ設定および暗号設定を共通にする。なお、このような楽曲の共有の場合は、自身は第１携帯電話１のような音源機器を持たず、ヘッドフォンブロック２０２だけを持つこと、またはその逆も可能である。さらに、人体通信による情報共有は、手を握る場合だけでなく寄り添って椅子に座るような形態によって生じる容量結合によっても可能である。
【００８６】
図１０は、図２のステップＳ１８におけるスキンシップモード処理の詳細を示すフローチャートであり、図９の構成をベースとしたものである。スキンシップモード処理は、前述のように、互いに手を繋いだり寄り添ったりするスキンシップ状態において人体通信によりメール情報を交換したり、楽曲の再生情報を共有したりすることができるモードである。フローがスタートすると、ステップＳ２３２でスキンシップモードが音楽モードかどうかチェックされる。そして音楽モードであればステップＳ２３４に進み、自分の携帯電話である第１携帯電話１から出力される音源を共有するための設定操作があったかどうかがチェックされる。
【００８７】
自音源設定操作があればステップＳ２３６で音楽を共有しようとしている相手と自分が音楽スキンシップベアとして登録されているかどうかチェックする。そして登録がなければステップＳ２３８に進む。  ステップＳ２３８では、相手の音源を受信するチャンネルが登録済みかどうかチェックし、登録済みであればステップＳ２４０でそのチャンネルを自動的に除外する。そして、テップＳ２４２において、除外したチャンネル以外のチャンネルの中から、自分の音源を送信するためのチャンネルを自動選択して設定する。なお、ステップＳ２３８で相手音源受信チャンネルが登録済みである旨の検出がなければ除外するチャンネルを考慮することなく直接ステップＳ２４２に進む。
【００８８】
ステップＳ２４２で設定された自音源送信チャンネルは、ステップＳ２４４で相手の携帯電話である第２携帯電話１０１に伝達されるとともに、ステップＳ２４６において自分の携帯電話である第１携帯電話１の記憶部１２に登録される。なお、ステップＳ２４４におけるチャンネルの伝達は、第１携帯近距離通信部２０から行われるが、これに換えて相手の手を握ることによる人体通信によってもよい。  
【００８９】
以上のようにして自音源を相手に供給するためのチャンネルを設定し、これを相手に伝えたうえでステップＳ２４８の音楽再生処理に入る。その詳細は後述する。一方、ステップＳ２３６で音楽スキンシップペアが登録されていることが検出された場合は、既に自音源を送信するチャンネルが設定済みであるとともにこれが相手に伝達済みなので、直接ステップＳ２４８の音楽再生処理に入る。
【００９０】
音楽再生処理が終了するとステップＳ２５０に進み、スキンシップモードがメールモードであるかどうかのチェックが行われる。一方ステップＳ２３２において音楽モードであることが検出されなかったときは直接ステップＳ２５０に移行する。なお図１０のフローはステップＳ２３２からステップＳ２５０に至る場合が通例であるが、音楽モードに続いてメールモードに入ることを可能とするためにステップＳ２４８の後にステップＳ２５０が置かれている。ステップＳ２５０でメールモードであることが検出されるとステップＳ２５２に進み、メールモード処理を実行し、その終了をもってフローを終了する。ステップＳ２５２のメールモード処理の詳細は後述する。
【００９１】
一方、ステップＳ２３４で自音源設定操作が検出されなかった場合は、音楽モードであって相手から出力される音源を共有する場合に該当するのでステップＳ２５４に移行する。ステップＳ２５４では、相手の音源を受信するためのチャンネルが記憶部１２に登録されているかどうかチェックする。登録がなければステップＳ２５６に進み、音源を受信するためのチャンネルを相手の携帯電話から受領する。このような相手からのチャンネルの受領は、第１携帯近距離通信部２０にて行われるが、これに換えて相手の手を握ることによる人体通信によってもよい。  
【００９２】
ステップＳ２５６において相手音源受信チャンネルが受領されるとステップＳ２５８に進み、受信したチャンネルを記憶部１２に登録するとともに、ステップＳ２６０において相手音源受信チャンネルを自分のヘッドフォンであるヘッドフォンブロック２０２に通知する。通知された受信チャンネルは制御部２１０の記憶部に記憶される。相手の音源を共有する場合は、以上の処理を経てステップＳ２５０に至る。以後は自音源を共有する場合と同様である。
【００９３】
図１１は、図１０のステップＳ２４８における音楽再生処理の詳細を示すフローチャートであり、図９の構成をベースとしたものである。フローがスタートすると、ステップＳ２５２で音源信号が記憶部１２から取り出される。取り出された音源信号は、ステップＳ２６４で単位デジタル信号に分割され、そのうちの時間的に最優先の単位デジタル信号がステップＳ２６６で自動的に選択される。次いで、ステップＳ２６８で自分および相手のヘッドフォンに音源を送信するチャンネルを通知する、これは、図１０のステップＳ２６０と同様の機能をもつが、単位デジタル信号の送信毎に音源チャンネルをヘッドフォンに通知することにより、楽曲の再生途中から音源共有に参加したヘッドフォンも音源の送信チャンネルの情報を得ることができる。
【００９４】
次にステップＳ２７０で簡易送信モードに設定されているかどうかのチェックが行われ、簡易送信モードでなければステップＳ２７２に進んで単位デジタル信号に送信用のヘッダ部を付与する指示が行われる。さらに、ステップＳ２７４でヘッダ部が付与された単位デジタル信号をＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）エンコードする指示が行われる。これは、信号の圧縮とともにその暗号化の意味を持つ。以上の処理の後、ステップＳ２７６で単位デジタル信号の変調が指示され、ステップＳ２７８でその送信が指示される。送信が終了するとステップＳ２８０で送信が所定回目（例えば５回目）であるかどうかがチェックされ、所定回目に達していなければステップＳ２７８に戻る。以下、ステップＳ２８０で送信が所定回目に達したことが検出されるまで、ステップＳ２７８における送信が繰り返される。
【００９５】
ステップＳ２８０で送信が所定回目に達したことが検出されると、フローはステップＳ２８２に進み、ステップＳ２７８およびステップＳ２８０によって所定回送信した単位デジタル信号が楽曲の最後のものであるかどうかがチェックされる。そして、最後のものでなければステップＳ２６６に戻り、送信済みのものを除いて最優先となる単位デジタル信号の選択が行われる。以下、ステップＳ２８２において最後の単位デジタル信号の所定回送信終了が検出されるまで、ステップＳ２６６からステップＳ２８２が繰り返される。
【００９６】
一方、ステップＳ２７０において、簡易送信モードの設定が検出されると、ステップＳ２８４に移行し、ステップＳ２６６で選択された単位デジタル信号をそのまま変調するよう指示するとともに、ステップＳ２８６でこれを送信する指示を行う。そして、ステップＳ２８２で送信した
単位デジタル信号が楽曲の最後のものであるかどうかがチェックされる。最後のものでなければステップＳ２６６に戻り、送信済みのものを除いて最優先となる単位デジタル信号の選択が行われる。以下、同様にして、ステップＳ２８２において最後の単位デジタル信号の所定回送信終了が検出されるまで、ステップＳ２６６からステップＳ２７０、ステップＳ２８４、ステップＳ２８６およびステップＳ２８２が繰り返される。
【００９７】
上記の簡易送信モードは、人体通信で送られてくる楽曲信号を送信チャンネル合わせだけで共有鑑賞できるよう構成され、ヘッダ部のチェックや暗号復号の機能のない簡易型のヘッドフォンブロックに対応できるようにするためである。このように、人体通信によって送受信する信号のセキュリティは、信号送信の目的に応じ変更することができる。この変更は、楽曲とメールなど、送信されるコンテンツに応じて行うこともできる。以上のような、構成により、チャンネルの一致しない信号や、さらにセキュリティを高めた場合のヘッダ部の一致しない信号や暗号の復号ができない信号は、それらセキュリティの程度に応じて予期しない相手に漏洩することがない。また、予期しない音信号がヘッドフォンブロックに混入することも防止される。
【００９８】
図１２は、図１０のステップＳ２５２におけるメールモード処理の詳細を示すフローチャートであり、図９の構成をベースとしたものである。フローがスタートすると、ステップＳ２９２で送信用のメールが作成済身かどうかのチェックが行われる。メールが作成済みであればステップＳ２９４に進み、作成済みのメールを暗号化して送信メールを自動作成してステップＳ２９６に移行する。一方、ステップＳ２９２で送信メールが作成済みであることが検出されなかった場合は直接ステップＳ２９６に移行する。ステップＳ２９６では、自分の体が自分以外の人体と接触しているか否かを検出する。検出がなければステップＳ２９２に戻り、以下、ステップＳ２９２からステップＳ２９６を繰り返して接触検出を待つ。
【００９９】
なお、ステップＳ２９６の接触検出は接触状態の有無を検出できる機能にも基づいており、接触の開始だけでなく接触の解除も検出できる。ステップＳ２９６からステップＳ２９８への移行は接触の開始の検出による。ステップＳ２９６で接触検出があればステップＳ２９８に移行する。この場合、ステップＳ２９４によって暗号化送信メールが作成されている場合といない場合が存在するが、それらへの対処はそれぞれ後述する。
【０１００】
ステップＳ２９８では、人体通信を開始するための情報を交換する。そして、交換情報に基づき、ステップＳ３００で接触相手のアドレスが登録済みであるかどうかチェックする。この登録の管理については後述する。ステップＳ３００において接触相手のアドレスが登録済みであることが検出されたときはステップＳ３０２に進み、暗号化送信メールがステップＳ２９４で作成されたかどうかチェックする。そして送信用の暗号化メールがあればステップＳ３０４に進み、暗号化送信メールを人体通信用に変調するとともにこれを送信する指示を行ってステップＳ３０６に移行する。一方、ステップＳ３０２で送信用の暗号化メールが検出されなかった場合は、直接ステップＳ３０６に移行する。
【０１０１】
ステップ３０６では、人体通信による自分の体の外からの暗号化メールの受信を試みるとともに暗号化メールがあればこれを復調する処理を指示する。次いでステップＳ３０８で復調された暗号化メールがあるかどうかチェックする。そして該当メールがあればステップＳ３１０に進んで暗号の復号を行ってステップＳ３１２に移行する。一方、ステップＳ３０８において暗号化メール検出されなかったときは、直接ステップＳ３１２に移行する。また、ステップＳ３００において接触相手のアドレスの登録が確認できなかったときも、直接ステップＳ３１２に移行する。
【０１０２】
ステップ３１２では、ステップＳ２９６における接触検出機能によって接触の解除が検出されてから所定時間（例えば１０分）経過したかどうかをチェックする。そして所定維持間の経過がなければステップＳ２９２に戻り以下ステップＳ２９２からステップＳ３１２を繰り返す。なお、この繰り返しの中でステップＳ２９６において新たな接触状態の開始が検出されたときにはステップＳ３１２における経過時間のカウントはリセットされ、次の接触状態の解除からカウントが新たにスタートする。一方、ステップＳ３１２で所定時間の経過が検知されるとフローは終了する。以上によって、例えば恋人同士が手を握り合うたびに自動的にメール交換のトリガーがかかり、人体通信によるメールのやりとりが可能となる。また、所定時間（例えば１０分）手を握らなければ図１２のフローが終了し、スキンシップモードが自動的に解除される。
【０１０３】
図１３は、図７のステップＳ２００におけるスキンシップペア管理処理の詳細を示すフローチャートであり、図９の構成をベースとしたものである。フローがスタートするとステップＳ３２２で音楽スキンシップペアのＩＤが検出されるかどうかチェックする。そして検出があればステップＳ３２４に進み、そのペアにおいて音源を送受信するためのチャンネルが相互に登録済みかどうかチェックする。ＩＤが検出されたペアにおいて音源を送受信するためのチャンネルが相互に登録済であるということは、そのペアに関する限り、登録チャンネルを用いれば混信することなく、相互の音源を共有できることを意味する。
【０１０４】
ステップＳ３２４において、特定のペア内で音源を送受信するためのチャンネルが相互に登録済であることが検出されるとステップＳ３２６に進み、そのようなペアのうち優先スキンシップペアとしてＩＤが登録されているものがあるかどうかチェックし、該当すればステップＳ３２８に進む。なお、音源を送受信するためのチャンネルが相互に登録済であるスキンシップペアのＩＤが一つしか検出されないときは、これが優先スキンシップペアとして登録されているものとしてステップＳ３２８に進む。ステップＳ３２８では、現在設定されているチャンネルが優先スキンシップペアのものとして登録済みのチャンネルに一致するかどうかチェックされる。そして、不一致があるとステップＳ３３０に進み、その不一致が発生してから所定時間（例えば１日）が経過しているかどうかチェックする。
【０１０５】
ステップＳ３３０において、所定時間の経過が検出されるとステップＳ３３２に進み、現在設定されているチャンネルを優先スキンシップペアのものとして登録済のチャンネルに自動復帰させてステップＳ３３４に移行する。一方、ステップＳ３２２からステップＳ３２６およびステップＳ３３０のうちのいずれか一つでも該当しない場合およびステップＳに該当する場合は、いずれも直接ステップＳ３３４に移行する。以上により、優先スキンシップペアとしてＩＤおよび音源送受信チャンネルが登録されているときは、現在設定されているチャンネルを勝手に変更する上で支障がない条件化で、自動的に登録済みチャンネルへの自動復帰が行われる。つまり、恋人同士など新密度の高いスキンシップペアについては、チャンネル変更を行って放置した場合でも、その都度これを登録チャンネルに戻す必要がない。
【０１０６】
ステップＳ３３４では、音源を多人数（３人以上）で共有する場合のチャンネル自動調整を求める操作があったかどうかをチェックする。そして操作が検出されるとステップＳ３３６に進み調整結果によって決まるチャンネルに、送受信チャンネルを自動変更してステップＳ３３８に移行する。一方、ステップＳ３３４に該当しなければ直接ステップＳ３３８に移行する。
【０１０７】
次に、上記のステップＳ３２２からステップＳ３３６までの機能を友人グループのＡ、Ｂ、Ｃ、Ｄがおり、このうちＡとＢおよびＣとＤはそれぞれ恋人同士で、それぞれ優先スキンシップペアとしての登録を行っている場合を具体例として説明する。なお、優先スキンシップペアのＡとＢにおいて、ＡからＢへの送信のためには第１チャンネル、ＢからＡへの送信のためには第２チャンネルを登録しており、一方、優先スキンシップペアのＣとＤにおいては、ＣからＤへは第１チャンネル、ＤからＣへは第２チャンネルを登録しているものとする。
【０１０８】
このような場合、各スキンシップペアがペア内で音源を共有している場合は問題ないが、例えば友人グループのＡ、Ｂ、Ｃ、Ｄ全員がＡの音源を共有する場合を考えると、ＡからＢ、ＡからＣ、ＡからＤのいずれにも同一のチャンネルを使用することになる。これは、Ｂ、Ｃ、Ｄからの音源をグループ内でそれぞれ共有する場合も同様である。ステップＳ３３４の操作はこのような場合に行われるものであり、これによってステップＳ３３６に進むと、Ａ、Ｂ、Ｃ、Ｄ相互の近距離通信によりチャンネルの自動調整が行われ、例えば、Ａの音源からの送信には第１チャンネル、Ｂの音源からの送信には第２チャンネル、Ｃの音源からの送信には第３チャンネル、Ｄの音源からの送信には第４チャンネルがそれぞれ割当てられて自動的に変更される。これによってＡ、Ｂ、Ｃ、Ｄは第１から第４のチャンネルの一つを受信チャンネルとして任意に選択さすることにより所望の音源を共有できる。なお、このグループ内音源共有機能は、人体通信だけでなく、近距離通信など他の通信においても活用できる。
【０１０９】
以上のようなステップＳ３３６の変更機能が働くと、例えばＣの送信チャンネルは第１チャンネルから第３チャンネルに、Ｄの送信チャンネルは第２チャンネルから第４チャンネルに変更されることになる。ステップＳ３３２に機能は、このように、優先スキンシップペアにおいて登録された音源送受信チャンネルが変更された場合に、これを登録済みチャンネルに自動復帰させるものである。これによって、例えばＡ、Ｂ、Ｃ、Ｄによるグループ旅行で音源の共有を楽しんだあと、帰宅後の翌日には、旅行中チャンネルが自動変更されてしまった優先スキンシップペアのＣとＤについても、ペア内の音源送受信チャンネルが登録済みのものに自動復帰することになる。
【０１１０】
ステップＳ３３８では、メールスキンシップペアのＩＤが検出されるかどうかチェックする。そして検出があればステップＳ３４０に進み、接触相手のメールアドレスについての人体通信用の登録が有効かどうかチェックする。そして登録が有効であればステップＳ３４２に進み、登録アドレスが図１２のステップＳ２９６によって検知される接触解除後、所定時間（例えば１０分）経過したかどうかがチェックされる。ステップＳ３４２において所定時間経過が検知されるとステップＳ３４４に進み、接触相手のメールアドレスについての人体通信用の登録を無効化する。なお、この無効化は図１２におけるステップＳ３００で検知される人体通信のためのアドレス登録に限って行われるものであり、無効化によってステップＳ３０２からステップＳ３１０における人体通信によるメール交換を行わないようにするためのものである。つまり、接触検知をトリガーとして人体通信によるメール交換を行うためのアドレス登録を無効にするだけであって、通常のメール送信用のアドレス登録を無効にするものではない。
【０１１１】
一方、ステップＳ３３８においてメールスキンシップペアのＩＤを検出しないとき、ステップＳ３４０において接触相手アドレスの有効な登録がないときは、直ちにフローを終了する。また、ステップＳ３４４において所定時間が経過していないときは、接触相手アドレスの登録を維持したまま直ちにフローを終了する。
【０１１２】
図１４は、図９のヘッドフォンブロック２０２における制御部２１０の機能のフローチャートであり、受信電極に何らかの信号が受信されることによりフローがスタートする。フローがスタートすると、まずステップＳ３５２で、設定チャンネルでの受信かどうかが判定部２１２で判定され、設定チャンネルでの受信であればステップＳ３５４に進んで復調を行う。次いで、ステップＳ３５６に進み、簡易送信モードでの受信かどうかがチェックされる。ステップＳ３５６において簡易通信モードによる受信でない旨の確認が行われるとステップＳ３５８に進み、所
定時間カウントのリセットスタートを行ってステップＳ３６０に移行する。ステップＳ３５８においてカウントが開始される所定時間は、図１１のステップＳ２７８およびステップＳ２８０において同一の単位デジタル信号を所定回繰り返し送信するのに要する時間を充分含む時間巾に設定される。
【０１１３】
遅くともこの段階では受信した信号が単位デジタル信号であることがわかっているので、ステップＳ６０では、そのヘッダ部が予め得ていた参照データと一致するかどうかチェックされる。そしてヘッダ部の一致があった場合には、ステップＳ３６２においてＡＤＰＣＭデコードを行う。このデコードにあたっては予め得ていた所定のコーディング規則が用いられる。ついでステップＳ３６４でデコードが可能であったかどうかがチェックされる。もし受信した単位デジタル信号が所定のコーディング規則に則っていない場合にはデコードが不可能となるので、ＡＤＰＣＭエンコードには暗号化の意義あり、ＡＤＰＣＭデコードは暗号を復号する意義がある。
【０１１４】
ステップＳ３６４でデコードが可能であったときはステップＳ３６６に進み、デコードした単位デジタル信号を蓄積してステップＳ３６８に移行する。一方、ステップＳ３６０でヘッダ部の一致が検出できないか、またはステップＳ３６４でデコードが不可能だった場合は、直接ステップＳ３６８に至り、受信した単位デジタル信号は破棄される。
【０１１５】
ステップＳ３６８で所定時間の経過が検知されないときはステップＳ３６０に戻り、以下、ステップＳ３６８で所定時間の経過が検知されるまではステップＳ３６０からステップＳ３６８が繰り返される。これによって、所定時間の間、ヘッダ部が一致し且つデコードが可能であった単位デジタル信号がステップＳ３６６で蓄積されることになり、正常に通信が行われている場合には、繰り返し送信された同一の単位デジタル信号のデコードデータが蓄積データの中に予定数含まれている。ステップＳ３６８で所定時間が経過したときはステップＳ３７０に進む。ステップＳ３７０では蓄積されたデコードデータのうちの同一と見なされる複数の単位デジタル信号データに基づき誤り訂正処理が行われ、再生用の単位デジタル信号を得てステップＳ３７２に移行する。一方、ステップＳ３５６で簡易送信モードでの受信であることが検知されると受信されたデータをそのまま再生用の単位デジタル信号として直接ステップＳ３７２に移行する。
【０１１６】
ステップＳ３７２では、デジタルシグナルプロセッサ２１４、ＡＤコンバータ２１８およびヘッドフォンアンプ２２０による処理が指示され、これにより再生用のアナログ出力信号がヘッドフォン２２２に出力される。次にフローはステップＳ３７４に進み、単位デジタル信号の受信が継続しているかどうかのチェックが行われる。そして受信が継続していればステップＳ３５２に戻り、以下ステップＳ３７４において受信の継続が検知されなくなるまでステップＳ３５２からステップＳ３７４が繰り返される。なお、上記のような繰り返しによってステップ３５８に至るたびに所定時間カウントのリセットスタートが行われ、次の一団の同一の単位デジタル信号の処理に入る。
【図面の簡単な説明】
【０１１７】
【図１】本発明の実施の形態に係る情報交換システムの第１実施例を示すブロック図である。
【図２】図１の第１実施例における携帯制御部の機能の基本フローチャートである。
【図３】図２のステップＳ２１の詳細を示すフローチャートである。
【図４】図２のステップＳ１０の詳細を示すフローチャートである。
【図５】図４のステップＳ７６の詳細を示すフローチャートである。
【図６】図２のステップＳ１４の詳細を示すフローチャートである。
【図７】図２のステップＳ２３の詳細を示すフローチャートである。
【図８】図７のステップＳ１９０の詳細を示すフローチャートである。
【図９】本発明の実施の形態に係る情報交換装置の第２実施例を示すブロック図である。
【図１０】図２のステップＳ１８の詳細を示すフローチャートである。
【図１１】図１０のステップＳ２４８の詳細を示すフローチャートである。
【図１２】図１０のステップＳ２５２の詳細を示すフローチャートである。
【図１３】図７のステップＳ２００の詳細を示すフローチャートである。
【図１４】図９の２実施例のヘッドフォンブロックの制御部の機能のフローチャートである。
【符号の説明】
【０１１８】
１、１０１  情報交換装置１２、１１２  コンテンツ保持部１２、１１２  登録部２８、１２８  変調部６、１０６  制御部１２、１１２  記憶部１、１０１  携帯電話２０、１２０、３２、１３２  伝達部２０２  情報再生装置６、１０６  設定部６、１０６  復帰実行部３２、６、１３２、１０６  検出部６、１０６  送信制御部
【図１】
2009182569.tif 000003
【図２】
2009182569.tif 000004
【図３】
2009182569.tif 000005
【図４】
2009182569.tif 000006
【図５】
2009182569.tif 000007
【図６】
2009182569.tif 000008
【図７】
2009182569.tif 000009
【図８】
2009182569.tif 000010
【図９】
2009182569.tif 000011
【図１０】
2009182569.tif 000012
【図１１】
2009182569.tif 000013
【図１２】
2009182569.tif 000014
【図１３】
2009182569.tif 000015
【図１４】
2009182569.tif 000016